(57)【要約】【課題】  本発明はダニ駆除車クリーニングブラシを開示した。【解決手段】被覆カバーを含み、前記被覆カバーの右端面には展延装置が接続され、手が届かない所を清掃する時、展延装置を伸ばして清掃することができ、前記被覆カバーの中には伝動チャンバが設けられ、前記伝動チャンバの中には動力連動部品が設けられ、前記動力連動部品が前記展延装置に対して制御し、前記被覆カバーの中には前記伝動チャンバの下端に位置する収集溝が設けられる；本発明は構成が簡単で、通常のブラシクリーニング方式と異なるたたき振動により高効率の吸着を実現し、フィルムを敷いて設けることにより飛ばされたダニを清掃待ちの物から隔絶させ、ダニが再び清掃待ちの物の中に落ちることを防止し、繰り返してクリーニングしてもきれいになれないことを避ける。【選択図】図１
2020130990.tif 000002
【特許請求の範囲】
【請求項１】
被覆カバーを含み、前記被覆カバーの右端面には展延装置が接続され、手が届かない所を清掃する時、展延装置を伸ばして清掃することができ、前記被覆カバーの中には伝動チャンバが設けられ、前記伝動チャンバの中には動力連動部品が設けられ、前記動力連動部品が前記展延装置に対して制御し、前記被覆カバーの中には前記伝動チャンバの下端に位置する収集溝が設けられ、前記収集溝の頂端内壁には着脱可能な吸い込み装置が回転できるように接続され、前記収集溝の頂端内壁には前記着脱可能な吸い込み装置の左右端に位置する互いに対称的なリミットスライド溝が連通して設けられ、前記リミットスライド溝の中には収納装置がスライドできるように接続され、前記収集溝の頂端内壁には前記リミットスライド溝の中に位置する左右対称の振動スイッチ装置がスライドできるように係合接続され、前記収集溝の頂端内壁には前記振動スイッチ装置のうち対称中心に近接する側に位置する左右対称の振動装置が設けられることを特徴とするダニ駆除車クリーニングブラシ。
【請求項２】
前記動力連動部品は前記伝動チャンバの右端の外側の駆動軸を含み、前記駆動軸の右端末端には左カップリングが設けられ、前記駆動軸には左右対称のカムが設けられ、前記駆動軸には左右対称の移動ブロックがネジ山により接続され、前記移動ブロックにはスライドレールが設けられ、前記駆動軸には駆動ベベルギヤが設けられ、前記伝動チャンバの頂端内壁にはモータが内蔵され、前記モータの下端末端には上下に伸びている伝動軸が動力が伝達できるように接続され、前記伝動軸には前記駆動ベベルギヤと噛み合って接続できる上ベベルギヤが設けられることを特徴とする請求項１に記載のダニ駆除車クリーニングブラシ。
【請求項３】
前記着脱可能な吸い込み装置は前記収集溝の頂端内壁と回転できるように係合接続される従動軸を含み、前記従動軸には前記駆動ベベルギヤと噛み合って接続できる従動ベベルギヤが設けられ、前記従動軸の下端末端には前記収集溝の中に位置する抽気ファンが設けられ、前記従動軸には前記抽気ファンの上側に位置する引っ掛かり溝が設けられ、前記収集溝の中には吸塵管が設けられ、前記吸塵管の中には上下が相通する吸塵チャンバが設けられ、前記吸塵チャンバには左右対称の引っ掛かりロッドがネジ山により係合接続され、その中、前記引っ掛かりロッドと前記引っ掛かり溝との間が当接するように接続され、前記引っ掛かりロッドのうち対称中心から離れている側には回転取っ手が設けられ、前記吸塵チャンバの中にはフィルタが固定的に接続され、前記吸塵チャンバの中には前記フィルタの下端に位置し、且つ外界と連通する伝送管が設けられ、前記吸塵チャンバの左右端面には互いに対称的なレールブロックが固定的に接続され、前記収納装置は前記リミットスライド溝の中にあるピックアップロッドを含み、前記ピックアップロッドと前記リミットスライド溝との間には復帰ばねが接続され、前記ピックアップロッドの上端末端には前記スライドレールとスライドできるように接続できる吊り下げ板が固定的に接続され、前記ピックアップロッドの下端末端には下プレス板が接続され、前記ピックアップロッドのうち対称中心に近接する側には押出溝が設けられ、前記押出溝の中には昇降ブロックがスライドできるように係合接続され、前記昇降ブロックの下側と前記押出溝の底端内壁との間には圧縮ばねが接続され、前記昇降ブロックのうち対称中心に近接する端には前記レールブロックと当接できる昇降ロッドが固定的に接続され、前記昇降ブロックの下端には上プレス板が固定的に接続されることを特徴とする請求項１に記載のダニ駆除車クリーニングブラシ。
【請求項４】
前記振動スイッチ装置は前記収集溝の中の斜面スライダを含み、前記斜面スライダには左右対称の引っ張り箱が設けられ、前記引っ張り箱のうち対称中心に近接する側にはローラが設けられ、前記引っ張り箱の中にはリミットチャンバが設けられ、前記リミットチャンバの頂端内壁にはスライド溝が連通して設けられ、前記スライド溝には前記伝動チャンバの中まで上下に伸びているスライドロッドがスライドできるように係合接続され、その中、前記スライドロッドと前記伝動チャンバの底端内壁との間がスライドできるように係合接続され、前記スライドロッドと前記スライド溝との間には抑制ばねが接続され、前記スライドロッドの下端には前記リミットチャンバの中に位置し、且つ前記リミットチャンバの内壁とスライドできるように接続されるリミット板が設けられ、前記スライドロッドの上端には前記カムと当接して接続できる当接板が固定的に接続され、前記当接板の下側と前記伝動チャンバの底端内壁との間には停止ばねが接続され、前記振動装置は前記収集溝と接続されるレールを含み、前記レールのうち対称中心から離れている側には延伸板が接続され、前記延伸板の下端末端には振動ブロックが固定的に接続され、左端の前記振動ブロックの中には膜配布装置が設けられ、前記延伸板のうち対称中心から離れている側には前記ローラと当接できる回転ロッドが回転できるように接続され、前記延伸板のうち対称中心から離れている側には前記回転ロッドの上端に位置する抑制板が固定的に接続され、前記回転ロッドの上側と前記抑制板の下側との間には引っ張りばねが接続されることを特徴とする請求項１に記載のダニ駆除車クリーニングブラシ。
【請求項５】
前記膜配布装置は前記振動ブロックの中に設けられる開口溝を含み、前記振動ブロックの中には隠し溝が設けられ、前記隠し溝の頂端内壁にはタンデム軸が接続され、前記タンデム軸の下端には接触板が接続され、前記接触板の上側と前記隠し溝の頂端内壁との間にはリミットばねが接続され、前記タンデム軸の上端末端には前記開口溝の中に位置するタンデムベベルギヤが設けられ、前記タンデム軸には前記タンデムベベルギヤの下端に位置するウォームが設けられ、前記開口溝の左端内壁の中にはモータが内蔵され、前記モータの右端には出力軸が動力が伝達できるように接続され、前記出力軸には前記タンデムベベルギヤと噛み合って接続できる方向切換ベベルギヤが設けられ、前記出力軸にはファンが設けられ、前記開口溝の中には定点軸が回転できるように係合接続され、前記定点軸には前記ウォームと噛み合って接続できるウォームホイールが設けられ、前記定点軸には前記ウォームホイールの前端に位置するフィルムロールが設けられ、前記展延装置は前記被覆カバーの右端端面に接続されるタンデム枠を含み、前記タンデム枠にはネジ軸が接続され、前記ネジ軸には前記左カップリングと当接できる右カップリングが接続され、前記右カップリングの中にはスライドチャンバが設けられ、前記ネジ軸には前記タンデム枠の右側に位置する展延ブロックがネジ山により接続され、前記展延ブロックの右端端面には取っ手が回転できるように接続され、前記タンデム枠には前記ネジ軸の上端に位置する押しロッドがスライドできるように係合接続され、その中、前記押しロッドが前記スライドチャンバの中に挿入され、且つそれとスライドできるように接続されることを特徴とする請求項１に記載のダニ駆除車クリーニングブラシ。
【発明の詳細な説明】
【技術分野】
【０００１】
本発明は清掃用品技術分野を取り上げて、具体的にはダニ駆除車クリーニングブラシである。
【背景技術】
【０００２】
車が長期にわたって使用された後、車内の表面に埃がたまってダニがつき、これらが人体の気道に害を与えるおそれがあり、乗る人の体の安全に悪影響を及ぼす。従来の処理方式は定期的にブラシを使用して清掃することであり、しかし、この方式はダニを駆除できない。そのため、効果的に車内の埃やダニを外に出す装置を設計することが実に必要である。
【先行技術文献】
【特許文献】
【０００３】
【特許文献１】中国特許出願公開第107440605号明細書
【発明の概要】
【発明が解決しようとする課題】
【０００４】
本発明はダニ駆除車クリーニングブラシを提供し、従来技術における上記欠点を解消することを目的とする。
【課題を解決するための手段】
【０００５】
本発明のダニ駆除車クリーニングブラシは、被覆カバーを含み、前記被覆カバーの右端面には展延装置が接続され、手が届かない所を清掃する時、展延装置を伸ばして清掃することができ、前記被覆カバーの中には伝動チャンバが設けられ、前記伝動チャンバの中には動力連動部品が設けられ、前記動力連動部品が前記展延装置に対して制御し、前記被覆カバーの中には前記伝動チャンバの下端に位置する収集溝が設けられ、前記収集溝の頂端内壁には着脱可能な吸い込み装置が回転できるように接続され、前記収集溝の頂端内壁には前記着脱可能な吸い込み装置の左右端に位置する互いに対称的なリミットスライド溝が連通して設けられ、前記リミットスライド溝の中には収納装置がスライドできるように接続され、前記収集溝の頂端内壁には前記リミットスライド溝の中に位置する左右対称の振動スイッチ装置がスライドできるように係合接続され、前記収集溝の頂端内壁には前記振動スイッチ装置のうち対称中心に近接する側に位置する左右対称の振動装置が設けられる。
【０００６】
好ましくは、前記動力連動部品は前記伝動チャンバの右端の外側の駆動軸を含み、前記駆動軸の右端末端には左カップリングが設けられ、前記駆動軸には左右対称のカムが設けられ、前記駆動軸には左右対称の移動ブロックがネジ山により接続され、前記移動ブロックにはスライドレールが設けられ、前記駆動軸には駆動ベベルギヤが設けられ、前記伝動チャンバの頂端内壁にはモータが内蔵され、前記モータの下端末端には上下に伸びている伝動軸が動力が伝達できるように接続され、前記伝動軸には前記駆動ベベルギヤと噛み合って接続できる上ベベルギヤが設けられる。
【０００７】
好ましくは、前記着脱可能な吸い込み装置は前記収集溝の頂端内壁と回転できるように係合接続される従動軸を含み、前記従動軸には前記駆動ベベルギヤと噛み合って接続できる従動ベベルギヤが設けられ、前記従動軸の下端末端には前記収集溝の中に位置する抽気ファンが設けられ、前記従動軸には前記抽気ファンの上側に位置する引っ掛かり溝が設けられ、前記収集溝の中には吸塵管が設けられ、前記吸塵管の中には上下が相通する吸塵チャンバが設けられ、前記吸塵チャンバには左右対称の引っ掛かりロッドがネジ山により係合接続され、その中、前記引っ掛かりロッドと前記引っ掛かり溝との間が当接するように接続され、前記引っ掛かりロッドのうち対称中心から離れている側には回転取っ手が設けられ、前記吸塵チャンバの中にはフィルタが固定的に接続され、前記吸塵チャンバの中には前記フィルタの下端に位置し、且つ外界と連通する伝送管が設けられ、前記吸塵チャンバの左右端面には互いに対称的なレールブロックが固定的に接続され、前記収納装置は前記リミットスライド溝の中にあるピックアップロッドを含み、前記ピックアップロッドと前記リミットスライド溝との間には復帰ばねが接続され、前記ピックアップロッドの上端末端には前記スライドレールとスライドできるように接続できる吊り下げ板が固定的に接続され、前記ピックアップロッドの下端末端には下プレス板が接続され、前記ピックアップロッドのうち対称中心に近接する側には押出溝が設けられ、前記押出溝の中には昇降ブロックがスライドできるように係合接続され、前記昇降ブロックの下側と前記押出溝の底端内壁との間には圧縮ばねが接続され、前記昇降ブロックのうち対称中心に近接する端には前記レールブロックと当接できる昇降ロッドが固定的に接続され、前記昇降ブロックの下端には上プレス板が固定的に接続される。
【０００８】
好ましくは、前記振動スイッチ装置は前記収集溝の中の斜面スライダを含み、前記斜面スライダには左右対称の引っ張り箱が設けられ、前記引っ張り箱のうち対称中心に近接する側にはローラが設けられ、前記引っ張り箱の中にはリミットチャンバが設けられ、前記リミットチャンバの頂端内壁にはスライド溝が連通して設けられ、前記スライド溝には前記伝動チャンバの中まで上下に伸びているスライドロッドがスライドできるように係合接続され、その中、前記スライドロッドと前記伝動チャンバの底端内壁との間がスライドできるように係合接続され、前記スライドロッドと前記スライド溝との間には抑制ばねが接続され、前記スライドロッドの下端には前記リミットチャンバの中に位置し、且つ前記リミットチャンバの内壁とスライドできるように接続されるリミット板が設けられ、前記スライドロッドの上端には前記カムと当接して接続できる当接板が固定的に接続され、前記当接板の下側と前記伝動チャンバの底端内壁との間には停止ばねが接続され、前記振動装置は前記収集溝と接続されるレールを含み、前記レールのうち対称中心から離れている側には延伸板が接続され、前記延伸板の下端末端には振動ブロックが固定的に接続され、左端の前記振動ブロックの中には膜配布装置が設けられ、前記延伸板のうち対称中心から離れている側には前記ローラと当接できる回転ロッドが回転できるように接続され、前記延伸板のうち対称中心から離れている側には前記回転ロッドの上端に位置する抑制板が固定的に接続され、前記回転ロッドの上側と前記抑制板の下側との間には引っ張りばねが接続される。
【０００９】
好ましくは、前記膜配布装置は前記振動ブロックの中に設けられる開口溝を含み、前記振動ブロックの中には隠し溝が設けられ、前記隠し溝の頂端内壁にはタンデム軸が接続され、前記タンデム軸の下端には接触板が接続され、前記接触板の上側と前記隠し溝の頂端内壁との間にはリミットばねが接続され、前記タンデム軸の上端末端には前記開口溝の中に位置するタンデムベベルギヤが設けられ、前記タンデム軸には前記タンデムベベルギヤの下端に位置するウォームが設けられ、前記開口溝の左端内壁の中にはモータが内蔵され、前記モータの右端には出力軸が動力が伝達できるように接続され、前記出力軸には前記タンデムベベルギヤと噛み合って接続できる方向切換ベベルギヤが設けられ、前記出力軸にはファンが設けられ、前記開口溝の中には定点軸が回転できるように係合接続され、前記定点軸には前記ウォームと噛み合って接続できるウォームホイールが設けられ、前記定点軸には前記ウォームホイールの前端に位置するフィルムロールが設けられ、前記展延装置は前記被覆カバーの右端端面に接続されるタンデム枠を含み、前記タンデム枠にはネジ軸が接続され、前記ネジ軸には前記左カップリングと当接できる右カップリングが接続され、前記右カップリングの中にはスライドチャンバが設けられ、前記ネジ軸には前記タンデム枠の右側に位置する展延ブロックがネジ山により接続され、前記展延ブロックの右端端面には取っ手が回転できるように接続され、前記タンデム枠には前記ネジ軸の上端に位置する押しロッドがスライドできるように係合接続され、その中、前記押しロッドが前記スライドチャンバの中に挿入され、且つそれとスライドできるように接続される。
【発明の効果】
【００１０】
有益効果は：本発明は構成が簡単で、操作が便利で、たたき振動の形式を採用し、清掃待ちの物の内部に吸着するダニや埃などを十分に飛ばし、従来のブラシ式の拭き清掃を諦め、清掃の速度を速め、清掃の質を向上させる。
【図面の簡単な説明】
【００１１】
便利しやすいために、本発明は以下の具体的な実施例及び付図により詳しく説明する。
【００１２】
【図１】図1は本発明のダニ駆除車クリーニングブラシの全体構成模式図である；
【図２】図2は図１の膜配布装置の構成模式図である。
【発明を実施するための形態】
【００１３】
以下に図１〜2を交えて本発明について詳しく説明する。便利に叙述するために、現在は後文に出る方位を下記の通りに規定する：後文に出る上下左右前後方向は図1本体の投影関係の上下左右前後方向と一致する。
【００１４】
本発明のダニ駆除車クリーニングブラシは、被覆カバー10を含み、前記被覆カバー10の右端面には展延装置が接続され、手が届かない所を清掃する時、展延装置を伸ばして清掃することができ、前記被覆カバー10の中には伝動チャンバ11が設けられ、前記伝動チャンバ11の中には動力連動部品が設けられ、前記動力連動部品が前記展延装置に対して制御し、前記被覆カバー10の中には前記伝動チャンバ11の下端に位置する収集溝33が設けられ、前記収集溝33の頂端内壁には着脱可能な吸い込み装置が回転できるように接続され、前記収集溝33の頂端内壁には前記着脱可能な吸い込み装置の左右端に位置する互いに対称的なリミットスライド溝36が連通して設けられ、前記リミットスライド溝36の中には収納装置がスライドできるように接続され、前記収集溝33の頂端内壁には前記リミットスライド溝36の中に位置する左右対称の振動スイッチ装置がスライドできるように係合接続され、前記収集溝33の頂端内壁には前記振動スイッチ装置のうち対称中心に近接する側に位置する左右対称の振動装置が設けられる。
【００１５】
有益的には、前記動力連動部品は前記伝動チャンバ11の右端の外側の駆動軸12を含み、前記駆動軸12の右端末端には左カップリング23が設けられ、前記駆動軸12には左右対称のカム22が設けられ、前記駆動軸12には左右対称の移動ブロック13がネジ山により接続され、前記移動ブロック13にはスライドレール14が設けられ、前記駆動軸12には駆動ベベルギヤ17が設けられ、前記伝動チャンバ11の頂端内壁にはモータ20が内蔵され、前記モータ20の下端末端には上下に伸びている伝動軸19が動力が伝達できるように接続され、前記伝動軸19には前記駆動ベベルギヤ17と噛み合って接続できる上ベベルギヤ18が設けられる。
【００１６】
有益的には、前記着脱可能な吸い込み装置は前記収集溝33の頂端内壁と回転できるように係合接続される従動軸15を含み、前記従動軸15には前記駆動ベベルギヤ17と噛み合って接続できる従動ベベルギヤ16が設けられ、前記従動軸15の下端末端には前記収集溝33の中に位置する抽気ファン52が設けられ、前記従動軸15には前記抽気ファン52の上側に位置する引っ掛かり溝51が設けられ、前記収集溝33の中には吸塵管47が設けられ、前記吸塵管47の中には上下が相通する吸塵チャンバ48が設けられ、前記吸塵チャンバ48には左右対称の引っ掛かりロッド50がネジ山により係合接続され、その中、前記引っ掛かりロッド50と前記引っ掛かり溝51との間が当接するように接続され、前記引っ掛かりロッド50のうち対称中心から離れている側には回転取っ手49が設けられ、前記吸塵チャンバ48の中にはフィルタ79が固定的に接続され、前記吸塵チャンバ48の中には前記フィルタ79の下端に位置し、且つ外界と連通する伝送管80が設けられ、前記吸塵チャンバ48の左右端面には互いに対称的なレールブロック46が固定的に接続され、前記収納装置は前記リミットスライド溝36の中にあるピックアップロッド56を含み、前記ピックアップロッド56と前記リミットスライド溝36との間には復帰ばね64が接続され、前記ピックアップロッド56の上端末端には前記スライドレール14とスライドできるように接続できる吊り下げ板21が固定的に接続され、前記ピックアップロッド56の下端末端には下プレス板55が接続され、前記ピックアップロッド56のうち対称中心に近接する側には押出溝53が設けられ、前記押出溝53の中には昇降ブロック44がスライドできるように係合接続され、前記昇降ブロック44の下側と前記押出溝53の底端内壁との間には圧縮ばね43が接続され、前記昇降ブロック44のうち対称中心に近接する端には前記レールブロック46と当接できる昇降ロッド45が固定的に接続され、前記昇降ブロック45の下端には上プレス板54が固定的に接続される。
【００１７】
有益的には、前記振動スイッチ装置は前記収集溝33の中の斜面スライダ35を含み、前記斜面スライダ35には左右対称の引っ張り箱37が設けられ、前記引っ張り箱37のうち対称中心に近接する側にはローラ41が設けられ、前記引っ張り箱37の中にはリミットチャンバ40が設けられ、前記リミットチャンバ40の頂端内壁にはスライド溝38が連通して設けられ、前記スライド溝38には前記伝動チャンバ11の中まで上下に伸びているスライドロッド34がスライドできるように係合接続され、その中、前記スライドロッド34と前記伝動チャンバ11の底端内壁との間がスライドできるように係合接続され、前記スライドロッド34と前記スライド溝38との間には抑制ばね58が接続され、前記スライドロッド34の下端には前記リミットチャンバ40の中に位置し、且つ前記リミットチャンバ40の内壁とスライドできるように接続されるリミット板39が設けられ、前記スライドロッド34の上端には前記カム22と当接して接続できる当接板31が固定的に接続され、前記当接板31の下側と前記伝動チャンバ11の底端内壁との間には停止ばね32が接続され、前記振動装置は前記収集溝33と接続されるレール62を含み、前記レール62のうち対称中心から離れている側には延伸板57が接続され、前記延伸板57の下端末端には振動ブロック42が固定的に接続され、左端の前記振動ブロック42の中には膜配布装置が設けられ、前記延伸板57のうち対称中心から離れている側には前記ローラ41と当接できる回転ロッド59が回転できるように接続され、前記延伸板57のうち対称中心から離れている側には前記回転ロッド59の上端に位置する抑制板61が固定的に接続され、前記回転ロッド59の上側と前記抑制板61の下側との間には引っ張りばね60が接続される。
【００１８】
有益的には、前記膜配布装置は前記振動ブロック42の中に設けられる開口溝70を含み、前記振動ブロック42の中には隠し溝71が設けられ、前記隠し溝71の頂端内壁にはタンデム軸74が接続され、前記タンデム軸74の下端には接触板75が接続され、前記接触板75の上側と前記隠し溝71の頂端内壁との間にはリミットばね73が接続され、前記タンデム軸74の上端末端には前記開口溝70の中に位置するタンデムベベルギヤ68が設けられ、前記タンデム軸74には前記タンデムベベルギヤ68の下端に位置するウォーム72が設けられ、前記開口溝70の左端内壁の中にはモータ65が内蔵され、前記モータ65の右端には出力軸66が動力が伝達できるように接続され、前記出力軸66には前記タンデムベベルギヤ68と噛み合って接続できる方向切換ベベルギヤ67が設けられ、前記出力軸66にはファン69が設けられ、前記開口溝70の中には定点軸76が回転できるように係合接続され、前記定点軸76には前記ウォーム72と噛み合って接続できるウォームホイール78が設けられ、前記定点軸76には前記ウォームホイール78の前端に位置するフィルムロール77が設けられ、前記展延装置は前記被覆カバー10の右端端面に接続されるタンデム枠25を含み、前記タンデム枠25にはネジ軸29が接続され、前記ネジ軸29には前記左カップリング23と当接できる右カップリング24が接続され、前記右カップリング24の中にはスライドチャンバ30が設けられ、前記ネジ軸29には前記タンデム枠25の右側に位置する展延ブロック28がネジ山により接続され、前記展延ブロック28の右端端面には取っ手27が回転できるように接続され、前記タンデム枠25には前記ネジ軸29の上端に位置する押しロッド26がスライドできるように係合接続され、その中、前記押しロッド26が前記スライドチャンバ30の中に挿入され、且つそれとスライドできるように接続される。
【００１９】
作動する時、モータ20を始動して伝動軸19により上ベベルギヤ18を回転させ、上ベベルギヤ18が順に駆動ベベルギヤ17と従動ベベルギヤ16とを回転させ、駆動ベベルギヤ17が駆動軸12を通じてカム22と移動ブロック13とを回転させ、カム22が当接板31を押し動かしてスライドロッド34を連動させて上へ移動させ、スライドロッド34により引っ張り箱37を上へ移動させ、引っ張り箱37がローラ41を通じて回転ロッド59を上げて抑制板61と当接させ、また延伸板57と上振動ブロック42を連動させて上へ移動させ、引っ張り箱37がスライドロッド34に対して対称中心から離れる方向に移動してローラ41を回転ロッド59との当接から離脱させ、振動ブロック42が自身の重力の作用により落下して清掃待ちの表面を強くたたき、振動で埃やダニを飛ばし、この時、タンデム軸74が清掃待ちの表面と当接して上へ移動し、これによりウォーム72をウォームホイール78と噛み合って接続させて方向切換ベベルギヤ67をタンデムベベルギヤ68と噛み合わせて接続させ、モータ65を始動し、出力軸66を通じて方向切換ベベルギヤ67とファン69とを回転させ、方向切換ベベルギヤ67が噛み合い接続によりタンデムベベルギヤ68を回転連動させてタンデム軸74によりウォーム72に動力を伝達し、ウォーム72がウォームホイール78を利用して定点軸76を回転させ、これによりフィルムロール77にフィルムを出力させ、同時にファン69の風によりフィルムを動かして他側の振動ブロック42と当接するまで伸ばし、この時、移動ブロック13がネジ山による接続を通じて向かい合って移動して接近し、更に移動ブロック13が吊り下げ板21とピックアップロッド56との移動を通じて昇降ロッド45を水平移動させ、同時に昇降ロッド45が上レールブロック46の制限により移動ブロック13を下へ移動させ、上プレス板54と下プレス板55とがしっかりと挟んでフィルムを切断して吸塵管47の下端までフィルムを移動させ、従動ベベルギヤ16が従動軸15を通じて抽気ファン52を回転させて空気の吸い込みを行い、フィルムを吸塵チャンバ48の中に吸い込み、更に伝送管80により外のゴミ箱の中に入れる；
【００２０】
設備を伸ばす時、押しロッド26を押し動かして右カップリング24を左カップリング23と当接させてネジ軸29を回転駆動させ、ネジ軸29がネジ山による接続を通じて展延ブロック28を右へ移動させる。
【００２１】
作動が終わった後、回転取っ手49を回転させて引っ掛かりロッド50を引っ掛かり溝51から離脱させ、吸塵管47を取り外し、フィルタ79を洗浄し、次回使用する時に内壁構成のきれいさを確保する。
【００２２】
有益効果は：本発明は構成が簡単で、操作が便利で、たたき振動の形式を採用し、清掃待ちの物の内部に吸着するダニや埃などを十分に飛ばし、従来のブラシ式の拭き清掃を諦め、清掃の速度を速め、清掃の質を向上させる。
【図１】
2020130990.tif 000003
【図２】
2020130990.tif 000004